(57)【要約】【課題】  外部から遊技機にアクセスして施錠状態を解除する不正行為を防止可能な遊技機を提供する。【解決手段】  遊技盤3を着脱自在に保持可能な遊技盤保持部9を備える中枠2と、上下左右の枠部1a〜1dからなり該枠部にて囲繞されて前記中枠2を開閉自在に収容する収容領域を具備する外枠1とを含む複数の機枠から構成される遊技機Pであって、前記中枠2の右枠部1dは、前記中枠2の開放を規制するための施錠装置20の鉤部22、23と係脱自在であり中枠2の開方向に開口した開口部25、26を有する隆起部Uを係合部として具備し、該隆起部Uは、右枠部1dの中枠収容領域側に隆起し枠部後端の長手方向に連続した壁部として形成し、係合部に係合した鉤部22、23に対して機後方及び側方からアクセスすることを防止可能とした。【選択図】  図5
2005073881.tif 000002
【特許請求の範囲】
【請求項１】
遊技盤を着脱自在に保持可能な遊技盤保持部を備える第一の機枠と、上下左右の枠部からなり該枠部にて囲繞されて前記第一の機枠を開閉自在に収容する収容領域を具備する第二の機枠とを含む複数の機枠から構成される遊技機であって、
前記第二の機枠の上下左右の枠部のうち少なくとも一部の枠部は、前記第一の機枠の開放を規制するための施錠装置の鉤部と係脱自在であり前記第一の機枠の開方向に開口した係合部を具備し、前記係合部には、機後方から鉤部に対するアクセスを防止するための壁部が設けられていることを特徴とする遊技機。
【請求項２】
前記係合部は前記枠部の前記収容領域側に隆起する隆起部として形成され、該隆起部の設けられた枠部の長手方向と交差する断面形状がP字状に形成されていることを特徴とする請求項1記載の遊技機。
【請求項３】
前記係合部は遊技盤保持部と対向する部位を含まない枠部後端側に設けられていることを特徴とする請求項1又は2記載の遊技機。
【請求項４】
前記係合部は枠部後端の枠部長手方向に連続して設けられていることを特徴とする請求項1〜3のいずれか1に記載の遊技機。
【請求項５】
前記係合部は金属成形されてなることを特徴とする請求項1〜4のいずれか1に記載の遊技機。
【発明の詳細な説明】
【技術分野】
【０００１】
本発明はパチンコ機のように、複数の機枠から構成される遊技機に関するものである。
【背景技術】
【０００２】
従来のパチンコ機等の遊技機は、遊技盤保持部としての収納部である開口領域を有する外枠と、該外枠に取付けられ開口領域に遊技盤を着脱自在に保持可能な遊技盤保持部を備える中枠と、該中枠の前面側に遊技盤を取付けるための前枠等から構成されている。前記中枠や前枠は、外枠に取付けられた状態でシリンダー錠等の施錠装置によって施錠することで、取付け状態がロックされるようにするように形成されている。従来の施錠装置が設けられた遊技機の構造として例えば特許文献1が公知である。
【０００３】
【特許文献１】特開2000-153046号公報(0007、図2）
【０００４】
図6(a)に示すように上記特許文献1に記載の遊技機101は、外枠（左外枠101a、右外枠101bなど)が金属製の枠部により形成され、枠部の前端縁・後端縁が内側(遊技盤保持部109側)に垂直に起立するように折曲げられて、断面門型(コ字状)に形成されている。また図7に示すように特許文献1の施錠装置110は、上下に摺動する施錠杆111と該施錠杆111の上下両端部に設けられ、後方へ突出する鉤片112、112と、施錠杆111を上下動させ、かつ施錠できるシリンダー錠113とから構成される。これに対し、図7に示すように施錠装置110に対応する枠部である右外枠101bには、鉤片112に対応する位置に、金属製枠部（101b)の一部分をコ字状に切断し、この切断部分101dを外枠の内側方向(中枠102設置側)に、外枠の板面から90度引き起こすように折曲げて前記係止板101cが設けられている。上記施錠杆111は、右外枠101bの係止部として形成された係止板101cに係合するように形成されている。
【発明の開示】
【発明が解決しようとする課題】
【０００５】
前記特許文献1に記載された従来の遊技機は、シリンダー錠113の鉤片112が係止板101cに係合した状態において、該鉤片112と係止板101cの側面側は、切断部分101dが存在し、また後方側には枠部の折曲げ部が存在しているが、係止板101cの後方を完全にカバーしない。そのため、金属製枠体101bの切断開口部101d側や遊技機の後方側等の機外部から、上記鉤片112が係止板101cに係合した部分に、金属棒等の先端を枠部の外方から接触させ、鉤片112の係合状態を外すことで施錠状態を解除することが可能である。このようにして施錠装置の施錠状態が解除されると、中枠や前枠を任意に開放し、機内に直接アクセスすることで遊技機に不正行為を行うことが可能となってしまい、大きな問題である。
【０００６】
本発明は上記従来技術の欠点を解消するためになされたものであり、外部からの施錠状態の解除を困難ならしめて、機内にアクセスする不正行為を防止することが可能な遊技機を提供することを目的とする。
【課題を解決するための手段】
【０００７】
本発明は、
（１）遊技盤を着脱自在に保持可能な遊技盤保持部を備える第一の機枠と、上下左右の枠部からなり該枠部にて囲繞されて前記第一の機枠を開閉自在に収容する収容領域を具備する第二の機枠とを含む複数の機枠から構成される遊技機であって、
前記第二の機枠の上下左右の枠部のうち少なくとも一部の枠部は、前記第一の機枠の開放を規制するための施錠装置の鉤片と係脱自在であり前記第一の機枠の開方向に開口した係合部を具備し、前記係合部には、機後方から鉤片に対するアクセスを防止するための壁部が設けられていることを特徴とする遊技機、
（２）前記係合部は前記枠部の前記収容領域側に隆起する隆起部として形成され、該隆起部の設けられた枠部の長手方向と交差する断面形状がP字状に形成されていることを特徴とする上記(1)記載の遊技機、
（３）前記係合部は遊技盤保持部と対向する部位を含まない枠部後端側に設けられていることを特徴とする上記(1)又は(2)記載の遊技機、
（４）前記係合部は枠部後端の枠部長手方向に連続して設けられていることを特徴とする上記(1)〜(3)のいずれか1に記載の遊技機、
（５）前記係合部は金属成形されてなることを特徴とする上記(1)〜(4)のいずれか1に記載の遊技機、
を要旨とするものである。
【発明の効果】
【０００８】
本発明遊技機は、第二の機枠の上下左右の枠部のうち少なくとも一部の枠部は、第一の機枠の開放を規制するための施錠装置の鉤片と係脱自在であり前記第一の機枠の開方向に開口した係合部を具備し、前記係合部には、機後方から鉤片に対するアクセスを防止するための壁部が設けられていることにより、第二の機枠を第一の機枠の収容して施錠装置の鉤片を係合部に係合して施錠した際に、該壁部により棒状体等で枠部の外方から施錠装置の前記係合部にアクセスすることを防止して、鉤片の係合部に対する係合状態を外すことを困難ならしめて、外部から不正な手段で施錠状態を解除して機内にアクセスする不正行為を防止することができる。
【０００９】
また本発明遊技機において、前記係合部は前記枠部の前記収容領域側に隆起する隆起部として形成され、該隆起部の設けられた枠部の長手方向と交差する断面形状がP字状に形成されている場合、遊技機側面方向から鉤片にアクセスするのを確実に防止可能であり不正行為防止機能が向上する。
【００１０】
また本発明遊技機において、前記係合部は遊技盤保持部と対向する部位を含まない枠部後端側に設けられている場合、遊技盤保持部を圧迫することなく遊技盤保持部のスペースを十分確保しつつ、施錠装置に対する不正なアクセスを防止することができる。
【００１１】
また本発明遊技機において、前記係合部は枠部後端の枠部長手方向に連続して設けられている場合、押出成形が可能な枠部の形状とすることができるために製造が容易である。さらに、連続した係合部により枠部の剛性が向上し、遊技機の強度が向上する。
【００１２】
また本発明遊技機において、前記係合部は金属成形されてなる場合、優れた強度を確保することができる。金属成形された係合部は、木製又は樹脂成形されたものと比較して、剛性および耐熱性が優れていることから、加熱した折曲棒体で係合部が設けられた枠部を溶解させて係合している鉤片に接触して解錠する不正行為を防止できる。
【発明を実施するための最良の形態】
【００１３】
本発明の実施例を図面に基づき詳細に説明する。本実施例では、遊技機の一例としてパチンコ機を用いて説明する。図1は本発明遊技機の一実施例であるパチンコ機の正面図であり、図2は図1に示すパチンコ機の分解斜視図である。図1及び図2に示すように本実施例のパチンコ機Pは、その基本的な構成として、縦長方形の外枠1の開口前面側に、縦長方形の中枠2が開閉自在に組み付けられている。該中枠2には、遊技盤3等の各種の遊技用構成部材がセットされる。そして前記中枠2の前面側には、機内部に配置された遊技盤3を透視保護するためのガラス枠を備えた前枠4と上球皿5が共に横開き状態で開閉可能に組み付け整合されている。さらに上記中枠2の下部には下球皿6、打球発射装置7等が装着されている。また中枠2の後側には、機構セット板8(図6b)が組付けられている。機構セット板8の後側には、特に図示しないが、球タンク、及び各種の球経路、払出部等の裏面部品が装着セットされている。
【００１４】
なお、本実施例において、パチンコ機の前側とは、パチンコ機を正面から見た場合(図1参照)の正面側のことである。同様に後側はパチンコ機を正面から見た場合の裏面側或いは背面側のことであり、上下左右側は正面から見た場合の上側、下側、左側及び右側のことである。
【００１５】
図1のパチンコ機Pの遊技盤3は、図2に示すように中枠2における遊技盤保持部9に適合する略正方形に成形されていて、前枠4の後側に設けた中枠2の遊技盤保持部9に着脱自在に保持される。遊技盤3の前側表面は、図1に示すように、その前面に打球発射装置7に連なり略円形状の案内レール31が取付けられ、該案内レール31に囲まれる部分は、液晶表示ディスプレイ(LCD)等の表示装置32を含む遊技部品や、始動入賞口33、大入賞口34、ゲート35等の入賞装置や装飾部材36等の各種装置・部材を配置して、所要のゲームを展開し得る遊技領域37として形成されている。
【００１６】
前枠4は、ガラス扉を有する窓枠が後側に取付けられ、該窓枠を介して前側から遊技領域37が視認できるように構成されている。前枠4は、左側の上下が中枠2の対応する部分に設けた支持材12、13に軸支され、支持材12、13を軸として回動して前方に開放するように取付けられている。
【００１７】
実施例のパチンコ機Pにおいて遊技盤3は、図2に示すように中枠2の前側から遊技盤保持部9に装着或いは取外すことが可能に構成されている。遊技盤保持部9に対して装着した遊技盤3は、固定部材により中枠2に固定化して保持される。遊技盤3は、遊技盤保持部9のセット口内に適合する略正方形に形成され、その四隅部は三角形に切除されて斜状壁部11として形成されている。この四隅部の斜状壁部11には、中枠2の遊技盤保持部9の各隅部10に夫々配設した固定部材が係脱するための凹部が設けられている。前記固定部材は、斜状壁部11に設けられた凹部に対してパチンコ機Pの前方から着脱可能に嵌合セットされ、かつ回動可能に支持される施錠具とを備えている。
【００１８】
また外枠1の左側の上部及び下部に支持部材14、15が設けられ、中枠2は外枠1の左側に配置した支持部材14、15に軸着されて取付けられている。外枠1に取付けられた中枠2は、支持部材14、15を回転軸として、中枠2が前方に開放するように取付けられている。更に中枠2の前面右側には、前枠4及び中枠2が開放しないように施錠するための施錠装置20が取付けられている。
【００１９】
図1のパチンコ機Pは図2に示すように、遊技盤3を着脱自在に保持可能な遊技盤保持部9を備える第一の機枠としての中枠2と、前記中枠2を開閉自在に収容する収容領域を具備する第二の機枠としての外枠1とを含む複数の機枠から構成される。前記外枠1は、上枠部1a、下枠部1b、左枠部1c及び右枠部1dの各部材により構成される上下左右の枠部から構成される。そして前記枠部1a〜1dにて囲繞された部分が、前記中枠2を開閉自在に収容する収容領域として形成されている。
【００２０】
本発明遊技機は、第二の機枠(外枠1)の上下左右の枠部のうち少なくとも一部の枠部（右枠部1d)は、図5に示すように第一の機枠(中枠2)の開放を規制するための施錠装置20の鉤片22、23と係脱自在であり、前記第一の機枠(中枠2)の開方向に開口した開口部25、26が設けられた係合部を具備する。この係合部は、図5に示す態様では、右枠部1dにおいて前記中枠2を開閉自在に収容する収容領域側に隆起する隆起部Uとして形成されている。
【００２１】
図3は図2の右枠部1dの斜視図である。また図4(a)は図3のA-A´線横断面図であり、図4(b)は図3のB-B´線横断面図である。図5に示す右枠部1dの隆起部Uは、図4(a)、(b)に示すように、内部が中空状に形成されていて、該枠部1dの長手方向と交差する方向の断面がP字状に形成されている。枠部の断面形状が「P字状」と言う場合、隆起部が図中右側に膨出した形状のみならず、図4(a)に示す文字「P」を反転させた文字のように、隆起部Uが図中左側に膨出した形状も含まれる。
【００２２】
右枠部1dの係合部に設けられた開口部25、26は、中枠2の開放方向であるパチンコ機Pの前方側のみに開口し、中空に形成された隆起部Uの内部の空間に貫通する開口部として形成されている。この開口部25、26の開口部の大きさは、施錠装置20の鉤片22、23の先端が入り込み上下にスライドさせることが可能な大きさであればよい。
【００２３】
なお隆起部Uが中空に形成されていると、中実に形成されている場合と比較して、開口部25、26等の開口部を形成する際に、隆起部Uの内部をくり貫く作業が不要であり、該当部分を切り抜いて開口部とするだけであり、鉤片が引っかかるように形成することができる。また、中空に形成することで、強度を低下させることなく、軽量化を図ることができる。
【００２４】
係合部として形成された隆起部Uは、遊技機後方及び機側方が枠部長手方向に連続した壁面として形成されている。このように壁面が形成されていることにより、機後方及び機側方から開口部25、26に係合している鉤片に対してアクセスし鉤片の係合を不正に解除する行為を防止することが可能である。
【００２５】
図5に示すように施錠装置20は、上下に摺動する施錠杆21と、該施錠杆21の上下両端部付近に設けられ後側に突出する鉤片22、23と、前記施錠杆21を上下動させかつ施錠可能なシリンダー錠24とから概ね構成される。前記シリンダー錠24の錠軸後端にカム片(図示せず)が設けられ、該カム片が前記錠杆21の一側に設けられた開口部(図示せず)に係合し、パチンコ機Pの前側からシリンダー錠24にキーを差し込み回動させることにより、施錠杆21が上下に摺動するように形成されている。また施錠杆21に設けられた鉤片22、23は、外枠1の右枠部1dの係合部に設けられた開口部25、26に係合し得るように形成されている。
【００２６】
図5に示す施錠装置20は、図2に示すように中枠2の右側端部付近に取付けられ、図6(b)に示すように右枠部1dの隆起部Uの前方は、施錠装置20の施錠杆21や鉤片22、23等が配置される領域18として形成されている。
【００２７】
施錠装置20の施錠杆21は、スプリングを備えていて常に上方に付勢するように形成され、鉤片22、23は開口部25、26の上側に係合して、通常は前側に開放しないようにロックされている。これに対し、シリンダー錠を回動させて施錠杆21を下方に動かすことで、鉤片22、23が下方にスライドすることで開口部25、26の上側に係合していた状態が外れて、施錠装置20のロックが解除される。その結果、該施錠装置20が取付けられている中枠2は、外枠1に固定されていた状態が解除されて、支持部材14、15を軸として回動させることで前方に開放する。
【００２８】
また外枠1の上下左右の枠部のうち左枠部1cは、右枠部1dと同様に図6(b)に示すようにパチンコ機Pの前面側となる前端側が平板状の平坦部Fとして形成され、該枠部のパチンコ機Pの後側となる後端側が前記平坦部Fに比して幅の広い隆起部Uとして形成されている。
【００２９】
この左枠部1c及び右枠部1dの隆起部Uは、外枠1の枠部1a〜1dにて囲繞される内側に位置する中枠2の収容側に向かって隆起していると共に、該隆起部Uにおける外枠1の外側面が前記平坦部Fに連なる平坦面として形成されている。
【００３０】
本発明では、第一の機枠の係合部は、遊技盤保持部と対向する部位を含まない枠部後端側に設けるのが好ましい。すなわち図6(b)に示すように、左枠部1c及び右枠部1dにおいて隆起部Uとして形成されている部分は、外枠1に中枠2を収容した場合に、遊技盤保持部9に対向する部位を含まず、機構セット盤8に対向する部分となる。また左枠部1c及び右枠部1dの平坦部Fは、外枠1に中枠2を収容した場合に遊技盤保持部9に対向する部位を含み、中枠2の開方向(図中矢印Rで示し、中枠2の開方向は、パチンコ機Pの前面側である。)に位置する前端側である。その結果、図6(b)に示すように左枠部1c及び右枠部1dの平坦部F、Fの間に遊技盤保持部9が位置し、隆起部U、Uの間には、機構セット盤8が位置する。
【００３１】
前記遊技盤保持部9は、図2に示すように中枠2の遊技盤3を挿嵌する開口領域、前記中枠2の開口領域を囲繞し遊技盤3の周囲を保持する遊技盤保持面、及びその保持面が形成された中枠部分が含まれる。すなわち遊技盤保持部9は、図6(b)に示すように、パチンコ機Pの左右方向では、左枠部1cと右枠部1dとの間であり、パチンコ機Pの前後方向では前記左枠部1c、右枠部1dの平坦部Fの長さの範囲内で形成される。枠部の遊技盤保持部9に対向する部位とは、遊技盤保持部9の遊技機前後方向のいわゆる厚み方向の長さに対応する部分を意味する。外枠2の枠部1c、1dの平坦部Fの長さは、少なくとも前記遊技盤保持部9の遊技機前後方向の長さ以上に形成されている。
【００３２】
隆起部U及び平坦部Fから構成される枠部である左枠部1c及び右枠部1dは、遊技盤保持部9の後方に隆起部Uが張り出すように形成されている。このように形成されていると、外枠1の外側表面を平滑に形成可能であり、また、遊技盤3を遊技機の前方から取出すことが可能となるように構成することができる。さらに遊技機枠としての十分な強度を確保できる。
【００３３】
本発明において係合部は、実施例の外枠1における枠部1c、1dの隆起部Uの様に、枠部後端の枠部長手方向に連続して設けられているのが好ましい。隆起部Uは断続的に不連続に形成されていてもよいが、図3に示すように長手方向に連続的に形成されている場合、枠部の成形が簡単であるという利点がある。また、隆起部Uが連続的に形成されていると外枠のさらなる強度の向上を図ることができる。
【００３４】
本発明において、枠部に隆起部Uを形成する場合、該枠部おける隆起部Uの形状は、断面P字状に限定されず、断面が三角形状或いは四角状等の多角形状、多角形状の角を面取りした形状、断面が円形或いは円類似形状等も含まれる。
【００３５】
隆起部Uは、枠部の後端から前端方向に対して所要の長さを持って膨出形成されるように隆起している。前記所要の長さとは、少なくとも平板部Fの厚みよりも大きく形成されている。また平板の板材を曲げ加工して隆起部Uを形成する場合は、折曲げられた先端が板材の方向を向くように形成される。この折曲げられた先端は、板材と直接接触せずに離れていてもよいが、先端と板材とが接していると、外枠1にねじれなどの応力が加わった際の抵抗力が大きくなり、耐衝撃性が良好となるため好ましい。
【００３６】
外枠1の枠部1a〜1cのうち係合部として隆起部Uを形成する枠部としては、少なくとも施錠装置20の開口部25、26が形成された右枠部1dであるのが好ましく、さらには左枠部1も同様に形成するのが好ましく、更に好ましくは上枠部1aである。
【００３７】
外枠1は、各枠部材をそれぞれ成形し、接合部材等を用いるか、あるいは枠部材の端部を接合部として形成して接合部材を用いずに、各部材をボルトナットや溶接などの各種接合手段を用いて接合して枠体として形成することができる。また、接合部には補強部材等を用いることもできる。
【００３８】
係合部を具備する枠部1dは、アルミニウム合金、またはマグネシウム合金等の金属から形成するのが好ましい。また、金属により枠部を構成する場合、上記係合部を具備する右枠部1d以外の枠部(上枠部1a、下枠部1b左枠部1c、)等も金属により形成して、外枠1全体を金属製としてもよい。金属製の枠部は金属成形により得られる。金属成形として具体的にはアルミニウム合金またはマグネシウム合金の異形押出により成形する方法が挙げられる。
【００３９】
外枠1を構成する枠部1a〜1dを金属製とすることで、枠部に優れた強度を付与し、遊技機の十分な強度を確保することができる。また係合部が設けられている枠部1dを金属製とした場合、木製又は樹脂成形された枠部と比較して、剛性及び耐熱性が優れていることから、加熱した折曲棒体で枠部の一部を溶解させて、外部から機体内部に接触するなどの不正行為を防止することができる。
【００４０】
また外枠1を構成する枠部1a〜1dを金属製とすることで、枠部にアース線を接続する部位が限定されることなく、広い放電面積を確保することができるから、放電効率の向上を図ることができ、設計の自由度を確保することができる。
【００４１】
加えて、枠部1a〜1dの金属としてアルミニウム合金を用いると、再利用に際して再加熱・溶解させても、樹脂に比して劣化が起こり難い。そのため、再び枠体の成形材料として用いることも可能であり、リサイクル性の向上を図ることができる。そして、リサイクル性を向上させることで、資源の有効利用に好適に対応可能な遊技機を提供することができる。
【００４２】
更に加えて、樹脂や木材よりも剛性の高い金属を各枠部の成形材料に採用した場合、木製又は樹脂製の枠部に比較して、より薄肉の枠部を成形することができる。その結果として、枠部の平坦部Fを更に薄肉の平板状に成形することが可能となり、中枠2における遊技盤保持部9の拡大を更に効率良く行うことが出来る。
【００４３】
また枠部1c、１dの平坦部Fは、パチンコ機Pの中枠2の開方向に位置するため、枠部の隆起部Uが中枠2の開方向とは反対の後端に位置することになり、中枠2を外枠1に対して開く際に障害にならないで、中枠2を確実に開くことができる。
【００４４】
平坦部F及び隆起部Uから構成される枠部は、平坦部F側が遊技盤保持部9における遊技盤3の取出し方向に位置するように配置するのが好ましい。仮に遊技盤3の取出し方向に隆起部U側が位置するようにして外枠1を構成した場合、隆起部Uが邪魔になって遊技盤3の取出しが困難となってしまう。その結果、実際に遊技盤3を取出すには、中枠2を開放して、遊技盤3の取出し方向に対し障害となっている外枠の隆起部Uが邪魔にならないようにした後、遊技盤3の取出しを行うことになり、中枠の開放作業が煩雑となってしまう。これに対して、遊技盤3の取出し方向に前記平坦部Fが位置する場合には、平坦部Fは薄肉の平板状に形成されているため、遊技盤3の取出し方向に対する障害にはならないため、外枠1から遊技盤保持部9を有する中枠2を開放することなく、外枠1に中枠2が装着されたままの状態で容易に遊技盤3の着脱を行うことができるため、遊技盤3の着脱作業を容易に行うことができる。
【００４５】
図6(a)は特許文献１に示すパチンコ機の水平断面を示し、同図(b)は本実施例のパチンコ機の水平断面を示す。また図7は従来のパチンコ機の施錠装置及び右枠部を示す要部斜視図である。なお、図中矢印Rは、中枠の開放方向及び遊技盤の取出し方向を示す。図6(a)及び図7に示すように、従来のパチンコ機では、施錠装置110を施錠した状態では、スプリングにより施錠杆112が上方に付勢され、鉤片112は101cの下辺部に係合している。そして、右枠部101bの係止板101cの側面側は切断部分101dが存在し側面側からアクセス可能である。また鉤辺112が係合した係止板101cの部分の後方側は枠部の折曲げ部が全てカバーしているものではないため、後方からもアクセス可能である。このように機外部から鉤片112が係止板101cに係合した部分にアクセス可能であると、金属棒等を用いて接触させることで鉤片の係合状態が解除される虞がある。
【００４６】
これに対し図5及び図6(b)に示す本実施例のパチンコ機では、右枠部1dの開口部25、26の設けられた部分は、正面部が開口しているのみで、側方及び後方側はいずれも壁として形成され、側方及び後方側から鉤辺22、23と開口部25、26の係合部分にアクセスすることは不可能である。そのため上記従来のパチンコ機のように、施錠装置の施錠状態を解除して、中枠や前枠を任意に開放し、遊技盤に直接アクセスする不正行為を防止できる。
【００４７】
さらに、本実施例の右枠部1dの係合部は、長手方向に連続する隆起部として形成されており、開口部以外の部分は全て壁として形成されているから、開口部を除く前面、側面、及び後面から、鉤辺22、23の係合部分にアクセスすることを防止して不正な行為を防止できる。
【００４８】
また本実施例のパチンコ機では図6(ｂ)に示すように、左枠部1cは遊技盤保持部9に対向する部位を含む前端側が平坦部Fとして形成され、係合部が設けられた隆起部Uは遊技盤保持部9を避けて設けられているために、遊技盤保持部9を左枠部1cに隣接した位置まで拡大することができる。外枠1全体の強度は、枠部の隆起部Uに持たせることができる。隆起部Uは遊技盤保持部9に対向する部位を含まない後端側に形成されているために、遊技盤保持部9の領域に干渉する虞はない。これに対し従来のパチンコ機では、図6(a)に示すように左外枠101aは断面コ字状に形成され、右外枠101bは断面がコ字状の部材と該部材の中程部分に開口部101cとして遊技盤保持部方向に突出する板状体が立設され、前枠104、中枠102が外枠の前側に設けられ、左外枠101aと右外枠101bとの間は、遊技盤保持部109が形成された中枠の収納領域として用いられる。このとき、遊技盤保持部109と左外枠101aとの間には、左外枠101aの前端縁が遊技盤保持部側に幅Sの大きさに、垂直に起立するように形成されているために、この幅Sの分だけデッドスペース110となってしまう。
【図面の簡単な説明】
【００４９】
【図１】本発明遊技機の1実施例としてのパチンコ機を示す正面図である。
【図２】図1のパチンコ機の分解斜視図である。
【図３】外枠を構成する右枠部の外観を示す斜視図である。
【図４】(a)は図4のA-A´線横断面図であり、(b)は図4のB-B´線横断面図である。
【図５】図1のパチンコ機の施錠装置及び外枠の右枠部を示す要部斜視図である。
【図６】本発明の作用を説明するための説明図であり、(a)は従来のパチンコ機の水平断面を示し、(b)は本実施例のパチンコ機の水平断面を示す。
【図７】従来のパチンコ機の施錠装置及び右枠部を示す要部斜視図である。
【符号の説明】
【００５０】
1  外枠(第二の機枠)
1a  上枠部
1b  下枠部
1c  左枠部
1d  右枠部
2  中枠(第一の機枠)
3  遊技盤
4  前枠
9  遊技盤保持部
20  施錠装置
21  施錠杆
22、23  鉤片
24  シリンダー錠
25、26  開口部
P  パチンコ機
U  枠部の隆起部
【図１】
2005073881.tif 000003
【図２】
2005073881.tif 000004
【図３】
2005073881.tif 000005
【図４】
2005073881.tif 000006
【図５】
2005073881.tif 000007
【図６】
2005073881.tif 000008
【図７】
2005073881.tif 000009